(57)【要約】【課題】遊技球を内部に誘導可能に構成された遊技機用可変入賞装置及びこれを備えた遊技機において、入賞する遊技球の数の適正化を図ることができ、且つ可変入賞装置の嵩張りを効果的に抑制し得る構成を提供する。【解決手段】遊技機用可変入賞装置１０は、遊技盤２に沿って流下する遊技球が上方側から下方側に抜けるような入球開口２２が形成された枠体２０を備えており、所定条件の成立時に、入球開口２２に入り込んだ遊技球を球誘導体４０によって入賞口へと案内し得る構成となっている。更に、開閉部材５０が設けられており、球誘導体４０が通過位置に変位する際に、開閉部材５０が阻止位置に変位し、その一部を入球開口２２から入賞口への経路に介在させて入賞口への遊技球の入賞を阻止するようになっている。【選択図】図９
2015213589.tif 000002
【特許請求の範囲】
【請求項１】
遊技機の遊技盤に直接又は他部材を介して間接的に固定され、前記遊技盤の盤面と直交する前後方向において少なくとも前記遊技盤の前方側に前記盤面に沿って流下する遊技球を下方側に通過させ得る入球開口が形成され、且つ前記入球開口の内部空間の左側又は右側に入賞口が形成された通路部が設けられてなる枠体と、
上方側に面する誘導面を備えると共に前記前後方向に沿ってスライドするように前記枠体に直接又は他部材を介して間接的に保持され、自身の少なくとも一部を前記遊技盤の盤面位置よりも前方側に配置して前記入球開口内に入った遊技球を前記誘導面で受けて前記入賞口側に誘導する誘導位置と、その誘導位置のときよりも後方側に退避して前記入球開口内に入った遊技球を当該入球開口の下方側に通過させる通過位置とに変位可能な球誘導体と、
前記前後方向に沿ってスライドするように前記枠体に直接又は他部材を介して間接的に保持され、前記球誘導体が前記通過位置に変位する際に、自身の一部を前記入球開口から前記入賞口への経路に介在させて前記入賞口への遊技球の入賞を阻止する阻止位置に変位し、前記球誘導体が前記誘導位置に変位する際に、前記阻止位置のときよりも後方側に退避して前記入賞口への遊技球の入賞を許容する許容位置に変位する開閉部材と、
前記球誘導体及び前記開閉部材に対して駆動力を与える駆動部材を備え、前記駆動部材を水平方向に沿って変位させる駆動源と、
前記入賞口に入賞した遊技球を検知する検知手段と、
を備えたことを特徴とする遊技機用可変入賞装置。
【請求項２】
前記水平方向に沿って変位可能に構成されると共に前記駆動源の前記駆動部材と連動するように構成され、前記球誘導体と連動する第一作用部と前記開閉部材と連動する第二作用部とを有する伝達部材を備え、
前記球誘導体は、前記伝達部材の前記第一作用部と連動して前記前後方向に沿ってスライドし、前記開閉部材は、前記伝達部材の前記第二作用部と連動して前記前後方向に沿ってスライドすることを特徴とする請求項１に記載の遊技機用可変入賞装置。
【請求項３】
前記伝達部材は、長手状に構成されると共に、上下方向の中心軸を中心として回動可能に構成され、
前記伝達部材の長手方向の一方側に前記球誘導体と接触し得る構成で前記第一作用部が配置され、前記伝達部材の長手方向他方側に前記開閉部材と接触し得る構成で前記第二作用部が配置され、前記伝達部材において前記第一作用部と前記第二作用部との間に前記中心軸が設定されていることを特徴とする請求項２に記載の遊技機用可変入賞装置。
【請求項４】
前記開閉部材は、板状に構成された板状部を備えると共に、前記板状部の一方の板面が前記球誘導体の左右方向中心位置側に面し、前記板状部の他方の板面が前記入賞口側に面するように配置され、
前記枠体には、前記板状部の前記一方の板面及び前記他方の板面をそれぞれ支持すると共に前記板状部を前記前後方向に導くように形成されたガイド部が設けられていることを特徴とする請求項１から請求項３のいずれか一項に記載の遊技機用可変入賞装置。
【請求項５】
前記入球開口の内壁部は、当該入球開口の前記内部空間の後方側に配置される後壁部と、前記内部空間の前方側に配置される前壁部とを備えており、
前記球誘導体は、板状に構成された誘導板を備えており、
前記誘導板は、前記誘導位置において、自身の前端部が前記前壁部から離れた後方位置において前記内部空間の前後方向中心位置よりも前側であり且つ前記前壁部よりも前記内部空間の前後方向中心位置寄りに配置されることを特徴とする請求項１から請求項４のいずれか一項に記載の遊技機用可変入賞装置。
【請求項６】
前記入球開口の内壁部は、当該入球開口の前記内部空間の後方側に配置される後壁部と、前記内部空間の前方側に配置される前壁部とを備えており、
前記球誘導体は、板状に構成された誘導板を備えており、
更に、前記後壁部よりも前側には、前記誘導位置にあるときの前記誘導板の左右方向両端部にそれぞれ対向するように前後方向に延びる一対のガイド面がそれぞれ形成されてなる一対の誘導板ガイドが設けられていることを特徴とする請求項１から請求項５のいずれか一項に記載の遊技機用可変入賞装置。
【請求項７】
前記入球開口の内壁部は、当該入球開口の前記内部空間の後方側に配置される後壁部と、前記内部空間の前方側に配置される前壁部とを備えており、
前記球誘導体は、板状に構成された誘導板を備えており、
更に、前記後壁部よりも前側の位置には、前記前壁部又は前記後壁部の少なくともいずれかに連結された構成で、前記誘導板の左右方向両側の各下面部を支持する誘導板支持部が設けられており、
前記球誘導体がスライドする際に、前記誘導板が前記誘導板支持部に支持されつつ滑動することを特徴とする請求項１から請求項６のいずれか一項に記載の遊技機用可変入賞装置。
【請求項８】
前記誘導位置のときの前記球誘導体に隣接する構成で、前記球誘導体から流れる遊技球を受けて前記球誘導体とは反対の下流側に導く底部が形成されていることを特徴とする請求項１から請求項７のいずれか一項に記載の遊技機用可変入賞装置。
【請求項９】
前記開閉部材は、前記阻止位置において前記底部に臨むように当該底部の上位置で進退することを特徴とする請求項８に記載の遊技機用可変入賞装置。
【請求項１０】
前記駆動源の前記駆動部材と連動すると共に前記球誘導体に作用する連動部材を備えており、
前記球誘導体は、少なくとも前記通過位置のときに、前記伝達部材の少なくとも一部と上下に重なり、且つ前記連動部材及び前記駆動源のそれぞれの少なくとも一部と上下に重なる積層構造となっていることを特徴とする請求項１から請求項９のいずれか一項に記載の遊技機用可変入賞装置。
【請求項１１】
請求項１から請求項１０のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
遊技機の分野では、様々な入賞装置が提供されており、その動作態様も様々である。例えば、特許文献１で開示される入賞装置１は、内部空間５に入った遊技球を内部空間５の外へと通過させる通過位置、及び内部空間５に入った遊技球を入賞口７へと誘導する誘導位置へ変位可能な第一可動部１１が設けられている。更に、入賞口７への入球を阻止する阻止位置、及び入賞口７へ入球を許容する許容位置へ変位可能で、第一可動部１１が通過位置へ変位するのに連動して阻止位置へ変位する一方、第一可動部１１が誘導位置へ変位するのに連動して許容位置へ変位する第二可動部１２が設けられている。
【０００３】
この特許文献１の入賞装置１では、遊技機の稼働時に所定条件が成立した場合、第一可動部１１を誘導位置（上方から入り込む遊技球を受け得る位置）に変位させ、かつ、第二可動部１２を許容位置（入賞口７への進入を許容する位置）に変位させている。そして、その後に復帰動作を行い、次の所定条件が成立するまでは、第一可動部１１を通過位置（上方から入り込む遊技球を下方に通過させる位置）に変位させ、かつ、第二可動部１２を阻止位置（入賞口７への進入を阻止する位置）に変位させている。つまり、この構成では、仮に復帰動作の直前に入賞口７へ入りそうな遊技球が存在していたとしても、復帰動作時に第二可動部１２が早期に阻止位置に変位するため、このような遊技球（即ち、本来的に検出されるべきでない遊技球）が入賞口７へと入り込みにくくなる。このように、特許文献１の発明では、復帰動作時に早期に入賞口７を遮断して意図しない入球を阻止しており、これにより、入賞する遊技球の数の適正化を図っている。
【先行技術文献】
【特許文献】
【０００４】
【特許文献１】特許第５４５３５０２号公報
【発明の概要】
【発明が解決しようとする課題】
【０００５】
ところで、特許文献１の発明は、駆動源となるソレノイドの駆動方向が上下方向であり、第一可動部１１を駆動する回動部材１９や第二可動部１２の変位方向は、上下方向と平行な平面（遊技盤の盤面と直交する平面）に沿った方向となっている。一方、第一可動部１１は、水平方向（上下方向と直交する方向）に近い角度に保たれて、ほぼ水平移動する構成となっている。つまり、引用文献１の発明は、ソレノイドの駆動方向、回動部材１９や第二可動部１２の変位方向、第一可動部１１の変位方向がバラバラである。このため、これらの部材が干渉しないように広く動作スペースを確保する必要があるため、装置構成の大型化（特に、上下方向の大型化）が避けられない。
【０００６】
本発明は、上述した課題を解決するためになされたものであり、遊技球を内部に誘導可能に構成された遊技機用可変入賞装置及びこれを備えた遊技機において、入賞する遊技球の数の適正化を図ることができ、且つ可変入賞装置の嵩張りを効果的に抑制し得る構成を提供することを目的とする。
【課題を解決するための手段】
【０００７】
本発明の遊技機用可変入賞装置は、
遊技機の遊技盤に直接又は他部材を介して間接的に固定され、前記遊技盤の盤面と直交する前後方向において少なくとも前記遊技盤の前方側に前記盤面に沿って流下する遊技球を下方側に通過させ得る入球開口が形成され、且つ前記入球開口の内部空間の左側又は右側に入賞口が形成された通路部が設けられてなる枠体と、
上方側に面する誘導面を備えると共に前記前後方向に沿ってスライドするように前記枠体に直接又は他部材を介して間接的に保持され、自身の少なくとも一部を前記遊技盤の盤面位置よりも前方側に配置して前記入球開口内に入った遊技球を前記誘導面で受けて前記入賞口側に誘導する誘導位置と、その誘導位置のときよりも後方側に退避して前記入球開口内に入った遊技球を当該入球開口の下方側に通過させる通過位置とに変位可能な球誘導体と、
前記前後方向に沿ってスライドするように前記枠体に直接又は他部材を介して間接的に保持され、前記球誘導体が前記通過位置に変位する際に、自身の一部を前記入球開口から前記入賞口への経路に介在させて前記入賞口への遊技球の入賞を阻止する阻止位置に変位し、前記球誘導体が前記誘導位置に変位する際に、前記阻止位置のときよりも後方側に退避して前記入賞口への遊技球の入賞を許容する許容位置に変位する開閉部材と、
前記球誘導体及び前記開閉部材に対して駆動力を与える駆動部材を備え、前記駆動部材を水平方向に沿って変位させる駆動源と、
前記入賞口に入賞した遊技球を検知する検知手段と、
を備えたことを特徴とする。
【０００８】
本発明の遊技機は、上記遊技機用可変入賞装置が遊技盤に配置されていることを特徴とする。
【発明の効果】
【０００９】
本発明の遊技機用可変入賞装置及び遊技機によれば、遊技盤に沿って流下する遊技球が上方側から下方側に抜けるような入球開口を備えた枠体を設けつつ、所定条件の成立時に、入球開口に入り込んだ遊技球を球誘導体によって入賞口へと案内し得る構成を実現できる。
更に、開閉部材が設けられており、球誘導体が通過位置に変位する際に、開閉部材が阻止位置に変位し、その一部を入球開口から入賞口への経路に介在させて入賞口への遊技球の入賞を阻止するようになっている。つまり、球誘導体を通過位置に戻そうとする際には、迅速に入賞口への経路が遮断されることになり、球誘導体を通過位置に戻す条件が成立した後に、入球開口内の空間に存在する遊技球が入賞口に入り込んでしまうような事態を確実に抑制することができる。
しかも、球誘導体及び開閉部材のいずれもが前後方向に沿ってスライド動作するように向きが揃えられ、駆動源の駆動部材も、水平方向に沿ってスライド動作するようになっている。このように構成されているため、球誘導体、開閉部材、駆動部材の移動スペースを確保する上で、上下方向の嵩張りを抑えることができ、入賞装置全体をよりコンパクトに配置しやすくなる。
【００１０】
また、本発明は、更に、前記水平方向に沿って変位可能に構成されると共に前記駆動源の前記駆動部材と連動するように構成され、前記球誘導体と連動する第一作用部と前記開閉部材と連動する第二作用部とを有する伝達部材を備えていてもよい。そして、前記球誘導体は、前記伝達部材の前記第一作用部と連動して前記前後方向に沿ってスライドし、前記開閉部材は、前記伝達部材の前記第二作用部と連動して前記前後方向に沿ってスライドするように構成されていてもよい。
このように、球誘導体、開閉部材、駆動部材だけでなく、伝達部材の変位方向も水平方向に沿うように揃えることで、上下方向の嵩張りをより一層抑えることができ、入賞装置全体をより一層コンパクトに配置しやすくなる。
【００１１】
更に、前記伝達部材は、長手状に構成されると共に、上下方向の中心軸を中心として回動可能に構成され、前記伝達部材の長手方向の一方側に前記球誘導体と接触し得る構成で前記第一作用部が配置され、前記伝達部材の長手方向他方側に前記開閉部材と接触し得る構成で前記第二作用部が配置され、前記伝達部材において前記第一作用部と前記第二作用部との間に前記中心軸が設定されていてもよい。
この構成によれば、単一の伝達部材の水平方向に沿った回動動作により、開閉部材及び球誘導体をいずれも水平方向に沿うようにスライド動作させ且つ互いに逆向きに変位させるように連動させることができる。しかも、単一の伝達部材の回動動作が直接的に開閉部材及び球誘導体のそれぞれに作用するため、球誘導体と開閉部材とが極めて迅速に連動することになり、球誘導体を通過位置に移動させる時期に、より早期に開閉部材を阻止位置に移動させ易くなる。
【００１２】
また、前記開閉部材は、板状に構成された板状部を備えると共に、前記板状部の一方の板面が前記球誘導体の左右方向中心位置側に面し、前記板状部の他方の板面が前記入賞口側に面するように配置されていてもよい。この場合、前記枠体には、前記板状部の前記一方の板面及び前記他方の板面をそれぞれ支持すると共に前記板状部を前記前後方向に導くように形成されたガイド部が設けられていることが望ましい。
この構成によれば、板状部の両面を支持可能な構成で、ブレを抑えて開閉部材を案内することができるため、開閉部材の移動の安定性が高まる。従って、例えば、開閉部材が阻止位置に変位する際に入賞口側に意図しない遊技球が入り込もうとしている場合など、遊技球が開閉部材に衝突するような場合であっても、遊技球の球圧によるブレを抑えて安定的に阻止位置に定めやすくなる。また、球圧によって大きくブレたり、撓んだりしにくい構成であるため、遮断直前に開閉部材が撓んだりブレたりして意図しない遊技球がすり抜けてしまうようなことをより防ぎ易くなる。
【００１３】
また、前記入球開口の内壁部に、当該入球開口の前記内部空間の後方側に配置される後壁部と、前記内部空間の前方側に配置される前壁部とが設けられ、前記球誘導体が、板状に構成された誘導板を備えていてもよい。この場合、前記誘導板は、前記誘導位置において、自身の前端部が前記前壁部から離れた後方位置において前記内部空間の前後方向中心位置よりも前側であり且つ前記前壁部よりも前記内部空間の前後方向中心位置寄りに配置されていると良い。
このようにすることで、誘導時には球誘導体を内部空間の前後方向中心位置よりも前側に配置して遊技球を安定的に誘導できるようになり、誘導が解除された場合（即ち、球誘導体を通過位置に変位させる場合）には、誘導板を内部空間の前後方向中心位置よりも後方側に迅速に退避させ、より早期に遊技球を下方側に通過させる状態とすることができる。従って、誘導解除が指示された後に、内部空間内に遊技球が長時間残存しにくくなり、遊技球が入賞口側に向かいにくくなる。
特に、この構成では、入球開口の迅速な開放と開閉部材による迅速な遮断とが相乗的に作用するため、意図しない遊技球が入賞口に入り込むことを、より一層確実に抑えることができる。しかも、入賞口側に向かおうとする遊技球自体も抑えられるため、阻止位置に変位する開閉部材に遊技球が衝突しにくくなり、開閉部材を保護する効果も高まる。
【００１４】
また、本発明は、前記入球開口の内壁部において、当該入球開口の前記内部空間の後方側に配置される後壁部と、前記内部空間の前方側に配置される前壁部とを設け、前記球誘導体において、板状に構成された誘導板を設けた場合、前記後壁部よりも前側に、前記誘導位置にあるときの前記誘導板の左右方向両端部にそれぞれ対向するように前後方向に延びる一対のガイド面がそれぞれ形成されてなる一対の誘導板ガイドが設けられていてもよい。
このような誘導板ガイドが設けられていれば、誘導板の変位の際に誘導板が適正な姿勢に保たれつつ円滑に変位し易くなり、誘導位置でも誘導板が適正な保持姿勢で維持され易くなる。従って、誘導板の保持姿勢がばらついたり不安定な姿勢になったりすることが抑制され、遊技球をより安定的に誘導しやすくなる。
【００１５】
また、本発明は、前記入球開口の内壁部において、当該入球開口の前記内部空間の後方側に配置される後壁部と、前記内部空間の前方側に配置される前壁部とを設け、前記球誘導体において、板状に構成された誘導板を設けた場合、前記後壁部よりも前側の位置に、前記前壁部又は前記後壁部の少なくともいずれかに連結された構成で、前記誘導板の左右方向両側の各下面部を支持する誘導板支持部が設けられていてもよい。この場合、前記球誘導体がスライドする際に、前記誘導板が前記誘導板支持部に支持されつつ滑動する構成であることが望ましい。
この構成によれば、後壁部よりも前側に突出して誘導位置になった球誘導体を、完全な片持ち状とすることなく安定的に支持することができる。このため、誘導位置において球誘導体が適正な姿勢に保たれ易くなり、且つ入球開口に入り込んだ遊技球の衝撃に耐えやすい構造となる。しかも、球誘導体がスライドする際には、誘導板が誘導板支持部に支持されつつ滑動するようになっているため、誘導板が適正な姿勢で安定的に移動しやすくなる。
【００１６】
また、前記誘導位置のときの前記球誘導体に隣接する構成で、前記球誘導体から流れる遊技球を受けて前記球誘導体とは反対の下流側に導く底部が形成されていてもよい。この構成では、誘導位置にある球誘導体と、その下流側の流路との間に大きな隙間が生じないため、球誘導体で導かれた遊技球の挙動が大きな隙間によって不安定になるようなことが抑えられ、球誘導体で導かれた遊技球がより円滑に下流側に流れるようになる。
【００１７】
また、このように底部を設ける場合、前記開閉部材は、前記阻止位置において前記底部に臨むように当該底部の上位置で進退する構成であることが望ましい。このように阻止位置にあるときの開閉部材の下側に及ぶように底部を配置すれば、開閉部材の移動スペースのために流路底部に隙間を生じさせてしまうようなことがなく、球誘導体で導かれた遊技球がより一層円滑に下流側に流れるようになる。
【００１８】
また、本発明は、前記駆動源の前記駆動部材と連動すると共に前記球誘導体に作用する連動部材が設けられていてもよい。この場合、前記球誘導体は、少なくとも前記通過位置のときに、前記伝達部材の少なくとも一部と上下に重なり、且つ前記連動部材及び前記駆動源のそれぞれの少なくとも一部と上下に重なる積層構造となっていると良い。
このように、球誘導体の上下に伝達部材、連動部材、駆動源が重なる積層構造とすることで、これらの部材を効率的に上下に纏めることができ、前後方向（奥行き方向）や左右方向の嵩張りをより一層低減することができる。
【図面の簡単な説明】
【００１９】
【図１】図１は、本発明の第１実施形態に係る遊技機用可変入賞装置を備えた遊技機を概略的に例示する正面図である。
【図２】図２は、本発明の第１実施形態に係る遊技機用可変入賞装置を前方側且つ斜め上方側から見た様子を概略的に示す斜視図である。
【図３】図３は、図２の遊技機用可変入賞装置の正面図である。
【図４】図４は、図２の遊技機用可変入賞装置の平面図である。
【図５】図５は、図２の遊技機用可変入賞装置の右側面図である。
【図６】図６は、図２の遊技機用可変入賞装置を前方側且つ斜め上方側から見た分解斜視図である。
【図７】図７は、図２の遊技機用可変入賞装置を後方側且つ斜め上方側から見た分解斜視図である。
【図８】図８は、図２の遊技機用可変入賞装置を概略的に示す平面図であり、図８（Ａ）は、球誘導体が通過位置にあるときの平面図であり、図８（Ｂ）は、球誘導体が誘導位置にあるときの平面図である。
【図９】図９は、図２の遊技機用可変入賞装置を伝達部材の位置で水平方向に切断した下方側の切断面を概略的に示す断面図であり、図９（Ａ）は、球誘導体が通過位置にあるときの断面図であり、図９（Ｂ）は、球誘導体が誘導位置にあるときの断面図である。
【図１０】図１０は、図２の遊技機用可変入賞装置において、球誘導体が通過位置にあるときの駆動源、球誘導体、開閉部材、伝達部材等の連係状態を前方側且つ斜め上方側から見た斜視図である。
【図１１】図１１は、図２の遊技機用可変入賞装置において、球誘導体が誘導位置にあるときの駆動源、球誘導体、開閉部材、伝達部材等の連係状態を前方側且つ斜め上方側から見た斜視図である。
【発明を実施するための形態】
【００２０】
[第１実施形態]
以下、本発明に係る遊技機用可変入賞装置１０及びそれを備えた遊技機１を具現化した第１実施形態について、図面を参照して説明する。
【００２１】
（遊技機及び遊技機用可変入賞装置の概要）
まず、遊技機１の概要を説明する。
図１に示す遊技機１は、いわゆるパチンコ機として構成されるものであり、木板（ベニヤ板）、アクリル板等によって構成される遊技盤２の盤面２ａ（前面）に沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動口７が配置されている。そして、液晶表示部３の下方側且つ始動口７の側方には、本発明に係る遊技機用可変入賞装置１０が配置されている。また、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。なお、図１では、透明板の図示を省略している。
【００２２】
本明細書において、「前後方向」とは、遊技盤２の盤面２ａ（前面）と直交する方向を意味し、盤面２ａに対し遊技者が位置するべき側を前方側、それとは反対側（即ち、遊技機１奥側）を後方側とする。また、「上下方向」とは、前後方向と直交する方向であって遊技球が流下する方向を意味する。例えば、図１に示す遊技機１の長手方向が鉛直方向となるように盤面２ａが鉛直方向と平行に配置される場合、鉛直方向が上下方向となる。また、「左右方向」とは、上記「前後方向」及び「上下方向」と直交する横方向を意味する。更に、上下方向と直交する平面方向を「水平方向」とする。即ち、「水平方向」は、前後方向及び左右方向と平行な面方向である。なお、図４、図５、図８、図９では、遊技盤２の盤面２ａの位置を二点鎖線にて仮想的に示している。
【００２３】
次に、遊技機用可変入賞装置１０の概要を説明する。
遊技機用可変入賞装置１０（以下、入賞装置１０ともいう）は、図１のように、遊技機１の遊技盤２に固定されて用いられるものであり、その一部が遊技盤２の前方側から視認可能となるように遊技盤２の前方側に露出した状態で配置される。なお、以下の代表例では、入賞装置１０の枠体２０が遊技盤２に直接固定された構成を例示するが、入賞装置１０は、遊技盤２に取り付けられていればよく、例えば、他部材を介して間接的に遊技盤２に固定されていてもよい。また、図１等に示す代表例では、遊技球を内部に入球させるように開口形態で構成される入球開口２２（図２等参照：後述）が大入賞口として機能するアタッカーとしての例を示すが、遊技球が入球開口２２（図２）内に入り込んで入賞し得る構成であれば電動チューリップや役物等の様々な入賞装置に適用できることは勿論である。
【００２４】
この入賞装置１０は、図２〜図５のような外観をなしており、図６、図７の分解斜視図で示すように、主として、枠体２０、球誘導体４０、開閉部材５０、伝達機構Ｒ、ソレノイド９０などを備えている。そして、図２のように、枠体２０に形成された入球開口２２の上端の開口部を遊技球の導入口とし、所定条件の成立時に、入球開口２２に導入された遊技球を入賞口２５に導いて入賞させ（図８（Ｂ）、図９（Ｂ）参照：後述）、それ以外の時期には、入球開口２２内に導入された遊技球が入球開口２２内を通過して遊技領域の下方に落ちるようになっている（図８（Ａ）、図９（Ａ）参照：後述）。
【００２５】
枠体２０は、例えば図１のように、遊技機１の遊技盤２に接触する形態で直接的に固定され、このような取付時に、遊技盤２の盤面２ａと直交する前後方向において少なくとも遊技盤２の前方側に、盤面２ａに沿って流下する遊技球を下方側に通過させ得る入球開口２２が配置されるようになっている。更に、図２、図９のように、枠体２０の内部において、入球開口２２の内部空間の横には、入賞口２５が形成された通路部２４が設けられている。なお、以下では、代表例として、正面側や上方側から見て内部空間（入球開口２２によって囲まれた空間）の左側に通路部２４や入賞口２５が配置された例について説明するが、内部空間の右側に通路部や入賞口が形成されていてもよい。
【００２６】
球誘導体４０は、図８〜図１１のように、上方側に面する誘導面４２ａを備えると共に、後述するソレノイド９０の駆動力を受けて前後方向に沿ってスライドするように枠体２０に直接的に保持されている。この球誘導体４０は、自身の少なくとも一部を遊技盤２の盤面位置よりも前方側に配置して入球開口内（入球開口２２の内部）に入った遊技球を誘導面４２ａで受けて入賞口２５側に誘導する誘導位置（図８（Ｂ）、図９（Ｂ）、図１１等参照）と、その誘導位置のときよりも後方側に退避して入球開口内に入った遊技球を当該入球開口２２の下方側に通過させる通過位置（図８（Ａ）、図９（Ａ）、図１０等参照）とに変位可能となっている。なお、ここで説明する代表例では、球誘導体４０が枠体２０の一部に接触して直接的に保持される構成を説明するが、球誘導体４０は、枠体２０に対して変位可能に取り付けられる構成であればよく、枠体２０に取り付けられた他部材に支持される構成で枠体２０に間接的に保持されていてもよい。
【００２７】
ソレノイド９０は、駆動源の一例に相当し、図６、図７のように、球誘導体４０及び開閉部材５０に対して駆動力を与えるプランジャ９４（プランジャ９４は、駆動部材の一例に相当）を備えており、プランジャ９４を水平方向（具体的には、左右方向）に沿って変位させる構成となっている。また、検知スイッチ９８は、検知手段の一例に相当し、公知の球検出センサとして構成されており、遊技球が通過孔９８ａ内を通過したときに検出信号を発するように構成され、入賞口２５に入賞して通過孔９８ａを通る遊技球を検知する機能を有している。
【００２８】
入賞装置１０は、このような基本構造を有しているため、図１のように遊技盤２に沿って流下する遊技球が上方側から下方側に抜けるように入球開口２２（図２等）が配置される構成において、大当たり等の所定条件が成立したときには、図８（Ｂ）、図９（Ｂ）、図１１のように、ソレノイド９０の駆動力によって球誘導体４０を誘導位置に変位させ、入球開口２２（図２等）に入り込んだ遊技球をこの球誘導体４０によって入賞口２５へと案内し得るようになっている。また、それ以外のときには、図８（Ａ）、図９（Ａ）、図１０のように、ソレノイド９０の駆動力によって球誘導体４０を通過位置へと退避させ、入球開口２２に入り込んだ遊技球を入賞口２５へと案内せずに下方側に落下させることが可能となっている。
【００２９】
更に、このような基本構造に加えて、図２、図９のような開閉部材５０が設けられている。本構成では、開閉部材５０が、前後方向に沿ってスライドするように枠体２０に直接的に保持されている。この開閉部材５０は、図９（Ａ）、図１０のように、球誘導体４０が通過位置に変位する際に、「自身の一部を入球開口２２の内部空間に臨ませて入球開口２２から入賞口２５への経路に介在させて入賞口２５への遊技球の入賞を阻止する阻止位置」に変位し、図９（Ｂ）、図１０のように、球誘導体４０が誘導位置に変位する際には、「阻止位置のときよりも後方側に退避（入球開口２２の内部空間から退避）して入賞口２５への遊技球の入賞を許容する許容位置」に変位する構成となっている。つまり、ソレノイド９０によって球誘導体４０を通過位置に戻す際には、この動きと連動して開閉部材５０が阻止位置に変位し、迅速に入賞口２５への経路が遮断されるため、球誘導体４０を通過位置に戻す条件が成立した後に、入球開口２２内の空間に存在する遊技球が入賞口２５に入り込んでしまうことを確実に抑制し得る構成となっている。
以下では、このような思想を実現するための詳細について更に詳しく説明する。
【００３０】
（遊技機用可変入賞装置の詳細構造）
まず、枠体２０や、枠体２０内の流路構成などについて詳述する。
図６、図７のように、枠体２０は、大部分又は全体が遊技盤２の盤面２ａ（図１、図４等）の前側に配置される前側部２０ａと、遊技盤２に当接して固定される固定部２０ｂと、この固定部２０ｂに対して後方側から固定される後側部２０ｃとを備えている。そして、これらが、ねじ等の連結部材１０２ａ，１０２ｂ，１０６ａ，１０６ｂ，１０６ｃなどによって互いに連結されている。
【００３１】
前側部２０ａは、前面部が意匠板として構成されており、この前面部の左右両側に、後方側に突出する突出部１１１，１１２が形成されている。そして、これら突出部１１１，１１２の間の領域が、入球開口２２内の内部空間となる。固定部２０ｂは、前側部２０ａに形成された突出部１１１，１１２の後端部とそれぞれ連結し、入球開口２２を構成するようになっている。後側部２０ｃは、固定部２０ｂと連結して収容空間を構成するようになっており、本構成では、固定部２０ｂと後側部２０ｃによって囲まれる空間が、ソレノイド９０や伝達機構Ｒなどを収容する空間となっている。
【００３２】
このような前側部２０ａ、固定部２０ｂ、後側部２０ｃが一体的に結合し、図２等に示す枠体２０を構成しており、この枠体２０が、各種部品を保持すると共に内部に入球開口２２や通路部２４などを構成するようになっている。枠体２０は、図２等で示すように、前側部２０ａ及び固定部２０ｂによって入球開口２２が構成されている。
【００３３】
入球開口２２は、図４に示すように、上端の開口部が平面視矩形状（横方向に長い長方形状）となっている。具体的には、入球開口２２の内部空間の後方側に後壁部３２が配置され、内部空間の前方側に前壁部３１が配置されており、上述の突出部１１１，１１２が左右の側壁部となっている。入球開口２２は、これら前壁部３１、後壁部３２、突出部１１１、１１２により、上下に貫通する環状の開口となっている。図２、図４のように、入球開口２２の上端の開口部は、左右方向に延びる前壁部３１及び後壁部３２の上端部付近と、突出部１１１、１１２の上端部側に形成された前後方向の縁部３３、３４とによって左右方向に長い長方形状の長孔として構成されており、開口領域が左右方向に広がった構成となっている。
【００３４】
入球開口２２の前後方向の開口幅は、遊技球の径よりも大きく、遊技球の径の２倍よりも小さい幅（より具体的には、遊技球の径の１．５倍よりも小さい幅）となっている。つまり、前後に遊技球が２つ以上重なって入り込まない位置関係となっている。具体的には、前壁部３１の壁面（内面）及び後壁部３２の壁面（内面）は、遊技盤２の盤面２ａの方向に沿った面となっており、これらの壁面が遊技球の径よりも僅かに広い間隔で前後に対向している。また、入球開口２２の左右方向の幅は、入り口の開口部の幅（即ち、縁部３３と縁部３４の左右の間隔）が遊技球の径の２倍以上となっており、入球開口２２の上下方向全領域においても左右の間隔が遊技球の径の２倍以上となっている。つまり、入球開口２２の上下方向全領域において、内部空間の左右方向の幅が遊技球の径の２倍以上（図上遊技球４個分）となっており、ゆえに、複数の遊技球が左右に重なって同時に入球開口２２の内部に入り込むことが可能となっている。
【００３５】
本構成では、図９（Ｂ）のように、球誘導体４０が誘導位置に保持されたときに、上述の入球開口２２と球誘導体４０によって遊技球を入賞口２５へと導く遊技球誘導路が構成されるようになっている。球誘導体４０は、図９（Ｂ）、図１１のように配置されたときに、上述の遊技球誘導路の底部となり、誘導板４２の左右方向一端部側（入賞口２５側）が左右方向他端部（入賞口２５とは反対側）よりも低位置になるように左下がりの傾斜となる。従って、誘導位置のときには、入球開口２２に入り込んだ遊技球が誘導板４２上を転がり、入賞口２５側（即ち、上方から見て左側）に導かれることになる。
【００３６】
図９に示すように、枠体２０の内部において、入球開口２２の左右方向一方側には、通路部２４が形成されている。この通路部２４は、図９（Ｂ）のように、球誘導体４０が誘導位置に位置しているときに、この球誘導体４０の左右方向一端側（具体的には、上方から見て左側）に続くように形成されており、球誘導体４０から左右方向一端側に流れた遊技球を導入して所定の排出口２４ｄに導く流路として機能する。この通路部２４は、球誘導体４０側の端部（図９（Ａ）で示すように、開閉部材５０に隣接する部分）が入賞口２５として機能しており、この入賞口２５が、球誘導体４０から流れてきた遊技球を受け入れる開口として機能している。入賞口２５は、遊技球を１球ずつ通す大きさで構成され、遊技球が２球以上同時に入り込まない開口サイズとなっている。従って、球誘導体４０側から流れ込む遊技球は１球ずつ入賞口２５を通ることになる。
【００３７】
図７、図９（Ｂ）等で示すように、通路部２４には、誘導位置のときの球誘導体４０に隣接する構成で、球誘導体４０から流れる遊技球を受けて球誘導体４０とは反対の下流側に導く底部１２０が形成されている。この底部１２０は、一部が入賞口２５として機能する部分であり、前壁部３１を基端部とする形で前壁部３１に連結され、先端部が後壁部３２に近接又は当接する底板として構成されている。この底部１２０の左右方向一端部１２０ａは、図９（Ｂ）のように誘導位置にある誘導板４２の端部（左右方向の端部）と近接（具体的には、遊技球の径の１／２よりも小さい隙間をあけて近接）するようになっている。また、底部１２０の左右方向他端部１２０ｂは、検知スイッチ９８の通過孔９８ａに近接して配置されており、例えば、左右方向一端部１２０ａの方が左右方向他端部１２０ｂよりも高くなるように傾斜している。なお、左右方向一端部１２０ａの高さは、誘導位置のある誘導板４２の左右方向一方端（底部１２０側の端部）と同程度の高さとなっており、誘導位置にある誘導板４２の板面４２ａと底部１２０の上面とがほぼ段差なく連続的に続くようになっている。
【００３８】
そして、開閉部材５０は、図９（Ａ）のように、阻止位置において底部１２０に臨むように（具体的には上下に対向するように）当該底部１２０の上位置で進退する構成となっている。この構成では、底部１２０が開閉部材５０の左右に跨るようになっており、底部１２０の左右方向一端部１２０ａ（図７、図９（Ｂ）等）が阻止位置にある開閉部材５０よりも右側に配置され、底部１２０の左右方向他端部１２０ｂ（図７、図９（Ｂ）等）が阻止位置にある開閉部材５０よりも左側に配置されるようになっており、これら左右方向一端部１２０ａから左右方向他端部１２０ｂに続くように流路底面となる平滑面（底部１２０の外面）が配置されるようになっている。
【００３９】
また、本構成では、後壁部３２よりも前側において、誘導位置にあるときの誘導板４２の左右方向両端部にそれぞれ対向するように前後方向に延びる一対のガイド面がそれぞれ形成されてなる一対の誘導板ガイド１３１，１３２が設けられている。これら誘導板ガイド１３１、１３２は、各外面（ガイド面）が左右方向と直交する方向（上下方向及び前後方向と平行な方向）に延びる壁部として構成されており、いずれの外面（ガイド面）も、左右方向と直交する方向の平滑面として前後に延びている。このように誘導板ガイド１３１、１３２において互いに対向する外面（ガイド面）が前後方向に沿って平滑に延びているため、誘導板４２が前後にスライドする際には誘導板４２の左右方向両端部（具体的には、前後方向に沿って直線状に構成された両端部）がこれら外面（ガイド面）の間で円滑に案内されることになる。
【００４０】
また、本構成では、後壁部３２よりも前側の位置に、前壁部３１又は後壁部３２の少なくともいずれかに連結された構成で、誘導板４２の左右方向両側の各下面部を支持する誘導板支持部１４１，１４２が設けられている。なお、ここで示す代表例では、各誘導板支持部１４１，１４２が前壁部３１に連結された例を示すが、後壁部３２に連結されていてもよく、両方に連結されていてもよい。
【００４１】
誘導板支持部１４１は、上述した突出部１１１の一部として構成され、前壁部３１を基端部とする形で前壁部３１に連結され、前壁部３１から後方側に延びる部分として構成されている。そして、先端部が後壁部３２に近接又は当接する構成となっている。誘導板支持部１４２は、上述した突出部１１２の一部として構成され、前壁部３１を基端部とする形で前壁部３１に連結され、前壁部３１から後方側に延びる部分として構成されている。そして、先端部が後壁部３２に近接又は当接する構成となっている。これら誘導板支持部１４１，１４２は、左右方向に距離をあけて配置され、これら誘導板支持部１４１，１４２の間は、球誘導体４０が通過位置にあるときに遊技球が落下する落下口となっている。誘導板支持部１４１，１４２はいずれも、上面が所定角度で傾斜した平滑面として構成されており、図９（Ｂ）のように、球誘導体４０が誘導位置にあるときに、誘導板４２の左右方向両側の各下面部が誘導板支持部１４１，１４２の各上面部によって支持されるようになっている。そして、図９（Ａ）の状態から図９（Ｂ）の状態へと変化する場合、或いは、図９（Ｂ）の状態から図９（Ａ）の状態へと変化する場合のように、球誘導体４０がスライドする際には、誘導板４２が両誘導板支持部１４１，１４２に支持されつつ滑動するようになっている。
【００４２】
図９に示すように、入賞口２５の開口近傍に通過孔９８ａが位置するように検知スイッチ９８が配置されている。この検知スイッチ９８は、前側部２０ａに形成された取付凹部１６１（図７等参照）と、固定部２０ｂに形成された取付凹部１６２（図６等参照）との間に挟み込まれて取り付けられ、上述した底部１２０に隣接した構成となっている。この通過孔９８ａは、入賞口２５と共に通路部２４の一部として機能しており、具体的には、通過孔９８ａの一部が、上述の底部１２０に連続する流路底面として機能している。このように構成されているため、入賞口２５を通る遊技球は、その直後に通過孔９８ａを通ることになり、検知スイッチ９８によって検知される。また、通過孔９８ａの下流側（入賞口２５とは反対側）には、左右方向に流れる遊技球を後方側に導く転換部２４ｂが続き、この転換部２４ｂの後方側には、固定部２０ｂに形成された流路２４ｃと、後側部２０ｃに形成された排出口２４ｄとが続いている。このように入賞口２５から排出口２４ｄまで、遊技球を１球ずつ通す流路が構成されているため入賞口２５に１球ずつ入り込んだ遊技球は、１球ずつ検知スイッチ９８で検知され、１球ずつ排出口２４ｄから排出されることになる。
【００４３】
次に、球誘導体４０、開閉部材５０、伝達機構Ｒ、ソレノイド９０について詳述する。
球誘導体４０は、遊技盤２の盤面２ａ（盤面）の前方側に形成された入球開口２２の下端側を開閉するように機能するものであり、自身の一部を盤面２ａの位置よりも前方側に突出した誘導位置（図８（Ｂ）、図９（Ｂ）、図１１等）と、この誘導位置のときよりも後方側に退避して入球開口２２を開放する通過位置（図８（Ａ）、図９（Ａ）、図１０等）とに変位し得るように、前後にスライド動作するように構成されている。
【００４４】
球誘導体４０は、図１０、図１１等に示すように、板状に構成された誘導板４２を備えている。この誘導板４２は、一方の板面（上面）が上方側に向き、他方の板面（下面）が下方側に向くように配置され、矩形状に構成された上面が遊技球を案内する誘導面４２ａとして機能する。この球誘導体４０は、誘導位置のときでも、通過位置のときでも、水平方向に対して所定角度（図上５度）で傾斜した姿勢（誘導面４２ａが上側を向いた状態で、左右方向一端側（入賞口２５側）が下位置、他端側が上位置になるように僅かに傾いた姿勢）で保たれるように保持される。本構成では、図６等に示すように、固定部２０ｂの前面部（具体的には、入球開口２２の内壁部３０（図２等）をなす後壁部３２）に、前方から見て左下がりの細長の孔部１２１が形成されており、この孔部１２１に誘導板４２が嵌り込み、孔部１２１の内壁部及び固定部２０ｂに形成された左右一対のコ字状のガイド溝（具体的には、上述の誘導板ガイド１３１，１３２及び誘導板支持部１４１，１４２からなる溝部）によって誘導板４２の外面が支持されるようになっている。このように誘導板４２がガイド溝に支持され孔部１２１に嵌り込んでいるため、誘導板４２の左右方向及び上下方向の移動が規制され、誘導板４２のスライド方向は前後方向のみに限定される。また、孔部１２１は、左右方向の一端側（入賞口２５側）が低くなる長孔構造であるため、この孔部１２１に嵌り込む誘導板４２は、上述したように左右方向の一端側が低くなるように維持された状態で前後方向にスライドすることになる。また、球誘導体４０が誘導位置に突出した時には、前側部２０ａに形成された上述の誘導板支持部１４１，１４２によって誘導板４２の両側下部が支持されるため、遊技球の衝撃を受けても安定した状態で入賞口２５に誘導することができる。
【００４５】
また、図７、図１１等に示すように、誘導板４２の後端部から後方に延び出るように形成された延出部４３には、誘導板４２の誘導面４２ａと交差する方向に突出する突起部４４ａ，４４ｂがそれぞれ同軸上に形成されている。球誘導体４０は、一方の突起部４４ｂが後述する連動部材７０からの作用を受けて移動することで前後方向にスライド動作するようになっており、このときに他方の突起部４４ａが伝達部材６０に作用してこの伝達部材６０を回動させるようになっている。なお、球誘導体４０は、突起部４４ａ，４４ｂの付近が伝達部材６０と連動部材７０とによって積層状に上下に挟まれるため、突起部４４ａ，４４ｂの基端部となる延出部４３付近がそれほど上下に動かない構成となっている。つまり、延出部４３付近が伝達部材６０と連動部材７０とによって上下に挟まれて上下の動きが規制され、誘導板４２が孔部１２１に嵌り込んで上下の動きが規制されるため、球誘導体４０全体として上下に動きすぎず、水平方向に対する球誘導体４０の傾斜角度も変化しにくい構成となっている。従って、球誘導体４０は、全体として上下方向の位置が安定的に保たれた状態で、前後方向にスライドすることになる。
【００４６】
更に、球誘導体４０は、図８（Ｂ)、図９（Ｂ)で示す誘導位置において、自身の前端部（具体的には、誘導板４２の前端部４２ｂ）が前壁部３１から離れた後方位置において内部空間の前後方向中心位置Ｌ１よりも前側であり且つ前壁部３１よりも内部空間の前後方向中心位置Ｌ１寄りに配置されるようになっている。つまり、誘導位置のときの誘導板４２は、内部空間への突出量が少なく前端部４２ｂが前壁部３１から距離をあけて入球開口２２の前後方向中心寄りで止まり、あまり前側に飛び出ないため、通過位置までの前後の移動量が大きくなりすぎず、通過位置に戻るときには小さい移動量で迅速に戻ることが可能となっている。
【００４７】
ソレノイド９０は、図６、図７、図１０、図１１等に示すように、励磁状態及び非励磁状態に切り替え可能なコイル部９２と、コイル部９２が非励磁状態のときに所定量突出した突出状態（図１０）となり、コイル部９２が非励磁状態のときに突出状態のときよりも突出量が小さい退避状態（図１１）となるように進退するプランジャ９４とを備えている。プランジャ９４は、磁性体によって構成されると共に図６、図７、図１０、図１１等のように一端側の端部にフランジ部９４ａが形成されており、他端側がコイル部９２内に挿し込まれている。そして、プランジャ９４の周囲且つフランジ部９４ａとコイル部９３の間にはフランジ部９４ａをコイル部９２から離間する方向に付勢するコイルばね９６が配置されている（図１１参照、図１０等では図示略）。
【００４８】
ソレノイド９０は、コイル部９２が非励磁状態のときには、コイルばね９６の付勢によりプランジャ９４がある程度コイル部９２の外側に押し出された位置となり（図１０）、コイル部９２が励磁状態のときには、コイルばね９６の付勢に抗してプランジャ９４がコイル部９２内に引き込まれるようになっている（図１１）。このように、ソレノイド９０は、コイル部９２に対する電気的な制御によって、プランジャ９４を水平方向に沿った向き（具体的には左右方向）に移動させ、プランジャ９４に連動する部品に駆動力を与えることができるようになっている。
【００４９】
図６、図７、図１０、図１１のように、伝達機構Ｒは、スライド部材８０と、連動部材７０と、伝達部材６０とによって構成されている。
図１０、図１１のように、スライド部材８０は、全体としてＬ字形状をなしており、連動部材７０と対向する対向部８４と、この対向部８４の一端側から下方側に折れ曲がる板状の固定部８３とを備えている。固定部８３は、上下方向に沿って延びると共にその厚さ方向を左右方向とするように配置されており、この固定部８３の下端側の切欠部（作用部８１）にプランジャ９４のフランジ部９４ａが嵌合構造で連係されるようになっている。対向部８４は、厚さ方向を上下方向とするように配置されており、ソレノイド９０の上方側においてプランジャ９４の長手方向（左右方向）に沿ってプランジャ９４の先端側からコイル部９２側に延びている。そして、上下方向において球誘導体４０とソレノイド９０の間の領域に配置された状態で、その領域を外れないように左右にスライドするようになっている。つまり、ソレノイド９０，スライド部材８０，球誘導体４０，連動部材７０，伝達部材６０が積層状に連係している。また、対向部８４の先端部（固定部８３側とは反対側の端部）付近には、上方に突出する突起部８２が形成されている。この突起部８２は、上下方向を軸方向とする円柱状に構成されており、その周囲には、後述する連動部材７０の作用部７１（切欠き状の凹部）が嵌り込んでいる。
【００５０】
このように構成されるスライド部材８０は、ソレノイド９０の駆動力を球誘導体４０に伝達する部材として機能し、一端側（固定部８３側）がプランジャ９４に固定された状態でプランジャ９４の移動方向（左右方向）と同方向に一体的にスライド動作する構成となっている。そして、このようなスライド部材８０のスライド動作に伴って、突起部８２から作用を受ける作用部７１も図１０、図１１の範囲でスライド動作し、これにより、連動部材７０全体が水平面内で回動するようになっている。
【００５１】
連動部材７０は、上下方向に延びる回動軸７３ａ，７３ｂを中心として回動する部材であり、図１０、図１１のように、回動の中心部となる中心部７５と、この中心部７５から回転半径方向に回動軸７３ａ，７３ｂの方向（上下方向）と直交する平面方向（水平方向）に沿って延びる第一アーム部７３と、中心部７５から第一アーム部７３とは異なる回転半径方向に回動軸７３ａ，７３ｂの方向（上下方向）と直交する平面方向（水平方向）に沿うように第一アーム部７３とは異なる方向に延びる第二アーム部７４とを備え、中心部７５を折れ部としたＬ字状に形成されている。なお、「回動軸７３ａ，７３ｂの方向」とは、回動軸７３ａ，７３ｂが回動するときに中心となる回動軸線の方向であり、この例では上下方向となっている。
【００５２】
中心部７５は、上下方向を軸方向とするような円柱状に構成されており、この中心部７５の上面からは、突起状の回動軸（軸部）７３ａが上方に突出し、中心部７５の下面からは突起状の回動軸（軸部）７３ｂが下方に突出している。これら回動軸７３ａ，７３ｂは、図７で示す枠体２０の軸受１５３，１５４にそれぞれ回転可能に支持されるようになっており、中心部７５は、これら軸受１５３，１５４の間に挟まれて保持されるようになっている。このような構造により、連動部材７０が枠体２０に回動可能（具体的には、上下方向の回動軸を中心として回動可能）に保持されている。
【００５３】
このように枠体２０に対して中心部７５が回動可能に保持された構成において、第一アーム部７３の先端部には、スライド部材８０の突起部８２に作用し且つ突起部８２からの作用を受ける作用部７１が切欠き状の凹部（具体的には、第一アーム部７３の延出方向に沿うように中心部７５に向かって凹む凹部）として形成されている。また、第二アーム部７４の先端部には、球誘導体４０の突起部４４ｂに作用し、且つ突起部４４ｂからの作用を受ける作用部７２が切欠き状の凹部（具体的には、第二アーム部７４の延出方向に沿うように中心部７５に向かって凹む凹部）として形成されている。
【００５４】
このように構成される連動部材７０は、図１０、図１１のようにスライド部材８０と連動し、ソレノイド９０からスライド部材８０に与えられた駆動力を球誘導体４０に伝達するように水平方向に沿って変位（回動）する。具体的には、ソレノイド９０の駆動動作（例えば、図１０の状態から図１１の状態への駆動動作、或いは図１１の状態から図１０の状態への駆動動作）に応じてスライド部材８０の突起部８２が左右方向へ移動し、これに伴い、突起部８２からの押圧作用を受ける作用部７１も左右方向に移動する。このような連動動作により、連動部材７０の全体が上下方向の所定回動軸を中心として回動する。そして、このように連動部材７０が所定回動軸を中心として回動することに伴い、第二アーム部７４が球誘導体４０を前後方向に移動させるように作用する。第二アーム部７４は、図１０、図１１のように、先端側に形成された作用部７２が前後方向に移動し得る位置関係で保持されるようになっており、連動部材７０が図１０の状態と図１１の状態とで変位する際に、作用部７２が前後方向に変位するようになっている。このように、連動部材７０の回動動作に伴って作用部７２が前後方向に変位するため、その作用部７２から押圧作用を受ける突起部４４ｂ（図７）も前後方向に変位することになり、球誘導体４０の全体も前後方向に変位する。
【００５５】
伝達部材６０は、図１０、図１１のように長手状に構成されると共に上下方向の中心軸６４ａ，６４ｂを中心として回動可能に構成され、水平方向に沿って変位し得るように構成されている。具体的には、回動の中心部となる中心部６５と、この中心部６５から上記中心軸６４ａ，６４ｂの方向（上下方向）と直交する平面方向（水平方向）に沿って延びる第一延出部６６と、中心部６５から上記中心軸６４ａ，６４ｂの方向（上下方向）と直交する平面方向（水平方向）に沿うように第一延出部６６とは反対方向に延びる第二延出部６７とを備えている。なお、「中心軸６４ａ，６４ｂの方向」とは、中心軸６４ａ，６４ｂが回動するときに中心となる回動軸線の方向であり、この例では上下方向となっている。
【００５６】
中心部６５は、上下方向を軸方向とするような円柱状に構成されており、この中心部６５の上面からは、突起状の中心軸（軸部）６４ａが上方に突出し、中心部６５の下面からは突起状の中心軸（軸部）６４ｂが下方に突出している。これら中心軸６４ａ，６４ｂは、図７で示す枠体２０の軸受１５１，１５２にそれぞれ回転可能に支持されるようになっており、中心部６５は、これら軸受１５１，１５２の間に挟まれて保持されるようになっている。このような構造により、伝達部材６０が枠体２０に回動可能（具体的には、上下方向の中心軸を中心として回動可能）に保持されている。
【００５７】
このように、伝達部材６０は、枠体２０に対して中心部６５が回動可能に保持された構成において、その回動半径方向に延びるように第一延出部６６が形成され、第一延出部６６とは異なる反対の回動半径方向に延びるように第二延出部６７が形成されている。更に、伝達部材６０には、球誘導体４０と連動する第一作用部６１と、開閉部材５０と連動する第二作用部６２とが形成されている。具体的には、伝達部材６０の長手方向一方側の端部（第一延出部６６の先端部）に切欠き状の凹部（具体的には、第一延出部６６の延出方向に沿うように中心部６５に向かって凹む凹部）として第一作用部６１が形成されており、この第一作用部６１は、球誘導体４０の突起部４４ａに接触するように作用し且つ突起部４４ａからの作用を受けるように機能する。また、伝達部材６０の長手方向他方側（第二延出部６７の先端部）に切欠き状の凹部（具体的には、第二延出部６７の延出方向に沿うように中心部６５に向かって凹む凹部）として第二作用部６２が形成されており、この第二作用部６２は、開閉部材５０の突出部５４に接触するように作用し、且つ突出部５４からの作用を受けるように機能する。そして、伝達部材６０において第一作用部６１と第二作用部６２との間に中心軸（伝達部材６０の回動中心）が設定されている。
【００５８】
このように、伝達部材６０は、上下方向の中心軸を中心として水平方向に沿って回動し、長手方向一方側の端部に形成された第一作用部６１が前後方向に変位し、長手方向他方側の端部に形成された第二作用部６２が前後方向において中心軸（軸部）６４ａ，６４ｂを介して第一作用部６２とは反対向きに変位する構成であるため、第一作用部６１と接触して連動する球誘導体４０は、前後方向に沿うように第一作用部６１と同じ側にスライドし、第二作用部６２と接触して連動する開閉部材５０は、前後方向に沿うように第二作用部６１と同じ側（球誘導体４０とは反対側）にスライドするように動作する。
【００５９】
開閉部材５０は、図１０、図１１のように、板状に構成された板状部５２と、この板状部５２から左右方向一方側（球誘導体４０や伝達部材６０の側となる右側）に突出する突出部５４とを備えており、前後方向にスライド動作し得るように配置されている。具体的には、図９のように、板状部５２が通路部２４の底壁上方に臨み、板状部５２の一方の板面５２ａが入賞口２５側に面するように球誘導体４０の左右方向中心位置側に面し、板状部５２の他方の板面５２ｂが検知スイッチ９８側に面するように、板厚方向を左右方向とし、板面５２ａ、５２ｂの長手方向を前後方向とする構成で配置されている。
【００６０】
図７、図９のように、枠体２０の所定位置には、前後方向に延びる溝状のガイド部３６が形成されており、開閉部材５０は、このガイド部３６に嵌り込んだ状態で前後に移動し得るようになっている。ガイド部３６は、板状部５２の一方の板面５２ａを支持する第一支持面と、板状部５２の他方の板面５２ｂを持する第二支持面とを有しており、これら第一支持面と第二支持面とが板状部５２の厚さ程度又はこの厚さよりも僅かに大きい間隔で左右に対向して配置されている。開閉部材５０は、このように構成されるガイド部３６により、一方の板面５２ａ及び他方の板面５２ｂがそれぞれ支持され、且つ上端部及び下端部が支持されることで、左右方向及び上下方向の移動が規制された状態で前後方向にスライド動作するようになっている。なお、板状部５２の板面５２ａ，５２ｂはいずれも平坦に構成され、上述の第一支持面及び第二支持面も平坦面として構成されており、開閉部材５０の上端部及び下端部は、いずれも前後方向に沿って平坦に構成されており、これら上端部及び下端部にそれぞれ対向するガイド部３６の壁面も、前後方向に沿って平坦に構成されている。このように開閉部材５０の平滑な外面が、ガイド部３６の平滑な内面に支持されつつ円滑に案内されるようになっている。
【００６１】
（球誘導体、開閉部材等の連動動作）
次に、球誘導体４０や開閉部材５０などの連動動作について説明する。
上述したように構成される球誘導体４０、開閉部材５０、伝達機構Ｒ、ソレノイド９０では、図９〜図１１で示すように、ソレノイド９０の駆動力を受けてプランジャ９４及びスライド部材８０が左右方向にスライド動作することに伴い、連動部材７０の一方の作用部７１が左右方向に案内され、連動部材７０が上下方向の回動軸７３ａ，７３ｂを中心として回動することになる。そして、この回動に伴って、連動部材７０の他方の作用部７２が前後方向に移動し、この作用部７２によって案内されるように球誘導体４０が前後方向にスライド動作する。そして、球誘導体４０がスライド動作すると、この球誘導体４０の突起部４４ａから作用を受ける伝達部材６０の作用部６１が前後方向に移動し、伝達部材６０が上下方向の中心軸６４ａ，６４ｂを中心として回動することになる。そして、伝達部材６０の回動の際には、第二作用部６２が第一作用部６１の移動側とは反対に移動することになり、この第二作用部６２の作用を受けて開閉部材５０が前後方向にスライドすることになる。
【００６２】
例えば、図１０で示すように球誘導体４０が通過位置にある状態から、図１１で示すように球誘導体４０が誘導位置にある状態に変化する際には、図１０から図１１のように、ソレノイド９０のプランジャ９４がコイル部９２内に引き込まれるように左方向に移動し、このプランジャ９４の移動方向と同方向にスライド部材８０がスライドする。そして、突起部８２の左側への移動に伴い、連動部材７０が所定方向（上方から見て反時計回り）に回動し、作用部７２が前側に移動する。従って、作用部７２からの作用を受ける突起部４４ｂ（図７等）も前側に移動することになり、球誘導体４０全体が前方側にスライドする。そして、球誘導体４０が前方側にスライドすると、突起部４４ａから押圧作用を受ける作用部６１が前方側に移動するため、伝達部材６０は、上下方向の中心軸６４ａ，６４ｂを中心として回動（上方から見て時計回りに回動）することになる。そして、この伝達部材６０の回動の際には、作用部６２が前後方向において作用部６１の移動側とは反対側（即ち後ろ側）に移動するため、この作用部６２の後方への移動に伴って開閉部材５０も後方にスライドすることになる。このように、球誘導体４０が通過位置から誘導位置に変位する場合（即ち、前側に移動する場合）、開閉部材５０は、その動きと連動して反対側に移動し、図９（Ａ）、図１０で示す阻止位置から、図９（Ｂ）、図１１で示す許容位置に変位することになる。
【００６３】
一方、図１１で示すように球誘導体４０が誘導位置にある状態から、図１０で示すように球誘導体４０が通過位置にある状態に変化する際には、図１１から図１０のように、ソレノイド９０のプランジャ９４がコイルばね９６の付勢によってコイル部９２内から出されるように右方向に移動し、このプランジャ９４の移動方向と同方向にスライド部材８０がスライドする。そして、突起部８２の右側への移動に伴い、連動部材７０が所定方向（上方から見て時計回り）に回動し、作用部７２が後ろ側に移動する。従って、作用部７２からの作用を受ける突起部４４ｂ（図７等）も後ろ側に移動することになり、球誘導体４０全体が後方側にスライドする。そして、球誘導体４０が後方側にスライドすると、突起部４４ａから押圧作用を受ける作用部６１が後方側に移動するため、伝達部材６０は、上下方向の中心軸６４ａ，６４ｂを中心として回動（上方から見て反時計回りに回動）することになる。そして、この伝達部材６０の回動の際には、作用部６２が前後方向において作用部６１の移動側とは反対側（即ち前側）に移動するため、この作用部６２の前方への移動に伴って開閉部材５０も前方にスライドすることになる。このように、球誘導体４０が誘導位置から通過位置に変位する場合（即ち、後ろ側に移動する場合）、開閉部材５０は、その動きと連動して反対側に移動し、図９（Ｂ）、図１１で示す許容位置から、図９（Ａ）、図１０で示す阻止位置に変位することになる。
【００６４】
（本構成の主な効果）
本構成によれば、遊技盤２に沿って流下する遊技球が上方側から下方側に抜けるような入球開口２２を備えた枠体２０を設けつつ、所定条件の成立時に、入球開口２２に入り込んだ遊技球を球誘導体４０によって入賞口２５へと案内し得る構成を実現できる。
更に、開閉部材５０が設けられており、球誘導体４０が通過位置に変位する際に、開閉部材５０が阻止位置に変位し、その一部を入球開口２２から入賞口２５への経路に介在させて入賞口２５への遊技球の入賞を阻止するようになっている。つまり、球誘導体４０を通過位置に戻そうとする際には、迅速に入賞口２５への経路が遮断されることになり、球誘導体４０を通過位置に戻す条件が成立した後に、入球開口２２内の空間に存在する遊技球が入賞口２５に入り込んでしまうような事態を確実に抑制することができる。
【００６５】
しかも、球誘導体４０及び開閉部材５０のいずれもが前後方向に沿ってスライド動作するように向きが揃えられ、ソレノイド９０のプランジャ９４も、水平方向に沿ってスライド動作するようになっている。このように構成されているため、球誘導体４０、開閉部材５０、プランジャ９４の移動スペースを確保する上で、上下方向の嵩張りを抑えることができ、入賞装置１０全体をよりコンパクトに配置しやすくなる。
【００６６】
また、本構成では、水平方向に沿って変位可能に構成されると共にソレノイド９０のプランジャ９４と連動するように構成され、球誘導体４０と連動する第一作用部６１と開閉部材５０と連動する第二作用部６２とを有する伝達部材６０が設けられている。そして、球誘導体４０は、伝達部材６０の第一作用部６１と連動して前後方向に沿ってスライドし、開閉部材５０は、伝達部材６０の第二作用部６２と連動して前後方向に沿ってスライドするように構成されている。このように、球誘導体４０、開閉部材５０、プランジャ９４だけでなく、伝達部材６０の変位方向も水平方向に沿うように揃えることで、上下方向の嵩張りを一層抑えることができ、入賞装置１０全体をより一層コンパクトに配置しやすくなる。
【００６７】
更に、本構成では、伝達機構Ｒを構成するスライド部材８０、連動部材７０、及び伝達部材６０が全て水平方向に沿って変位し、ソレノイド９０の駆動力に応じて変位する部材全てが水平方向に沿って変位するようになっている。このように構成されているため、上下方向の嵩張りがより一層抑えられる。しかも、図９等に示すように、左右及び前後方向において、球誘導体４０の配置領域に、その他の全ての変位部材（スライド部材８０、連動部材７０、伝達部材６０、開閉部材５０）及びソレノイド９０が部分的に重なるようになっている。つまり、左右及び前後方向において、球誘導体４０の配置領域付近に駆動に関連する全ての部品が纏められているため、左右及び前後方向の嵩張りも確実に抑えられている。
【００６８】
更に、伝達部材６０は、長手状に構成されると共に、上下方向の中心軸を中心として回動可能に構成され、伝達部材６０の長手方向の一方側に球誘導体４０と接触し得る構成で第一作用部６１が配置され、伝達部材６０の長手方向他方側に開閉部材５０と接触し得る構成で第二作用部６２が配置され、伝達部材６０において第一作用部６１と第二作用部６２との間に中心軸が設定されている。この構成によれば、単一の伝達部材６０の水平方向に沿った回動動作により、開閉部材５０及び球誘導体４０をいずれも水平方向に沿うようにスライド動作させ且つ互いに逆向きに変位させるように連動させることができる。しかも、単一の伝達部材６０の回動動作が直接的に開閉部材５０及び球誘導体４０のそれぞれに作用するため、球誘導体４０と開閉部材５０とが極めて迅速に連動することになり、球誘導体４０を通過位置に移動させる時期に、より早期に開閉部材５０を阻止位置に移動させ易くなる。
【００６９】
また、本構成では、開閉部材５０が板状に構成された板状部５２を備えており、板状部５２が通路部２４の底部１２０上方に臨み、板状部５２の一方の板面５２ａが入賞口２５側に面するように球誘導体４０の左右方向中心位置側に面し、板状部５２の他方の板面５２ｂが検知スイッチ９８側に面するように配置されている。そして、枠体２０には、板状部５２の一方の板面５２ａ及び他方の板面５２ｂをそれぞれ支持すると共に板状部５２を前後方向に導くように形成されたガイド部３６が設けられている。この構成によれば、板状部５２の両面を支持可能な構成で、ブレを抑えて開閉部材５０を案内することができるため、開閉部材５０の移動の安定性が高まる。従って、例えば、開閉部材５０が阻止位置に変位する際に入賞口２５側に意図しない遊技球が入り込もうとしている場合など、遊技球が開閉部材５０に衝突するような場合であっても、遊技球の球圧によるブレを抑えて安定的に阻止位置に定めやすくなる。また、球圧によって大きくブレたり、撓んだりしにくい構成であるため、遮断直前に開閉部材５０が撓んだりブレたりして意図しない遊技球がすり抜けてしまうようなことを、より防ぎ易くなる。
【００７０】
また、本構成では、入球開口２２の内壁部３０に、当該入球開口２２の内部空間の後方側に配置される後壁部３２と、内部空間の前方側に配置される前壁部３１とが設けられ、球誘導体４０が、板状に構成された誘導板４２を備えている。そして、誘導板４２は、誘導位置において、自身の前端部４２ｂが前壁部３１から離れた後方位置において内部空間の前後方向中心位置Ｌ１よりも前側であり且つ前壁部３１よりも内部空間の前後方向中心位置寄りに配置されている。このようにすることで、誘導時には球誘導体４０を内部空間の前後方向中心位置Ｌ１よりも前側に配置して遊技球を安定的に誘導できるようになり、誘導が解除された場合（即ち、球誘導体４０を通過位置に変位させる場合）には、誘導板４２を内部空間の前後方向中心位置Ｌ１よりも後方側に迅速に退避させ、より早期に遊技球を下方側に通過させる状態とすることができる。従って、誘導解除が指示された後に、内部空間内に遊技球が残存しにくくなり、遊技球が入賞口２５側に誘導されることがなくなる。一方で、誘導位置では、前端部４２ｂが内部空間の前後方向中心位置Ｌ１よりも前側となるように（具体的には、前端部４２ｂと前壁部３１との間が、遊技球の径よりも小さいサイズ（望ましくは、遊技球の径の１／２よりも小さいサイズ）となるように）誘導板４２が保持されるため、誘導位置では、遊技球の下方への通過を防いで遊技球を安定的に入賞口２５へ誘導できるようになる。
特に、この構成では、入球開口２２の迅速な開放と開閉部材５０による迅速な遮断とが相乗的に作用するため、意図しない遊技球が入賞口２５に入り込むことを、より一層確実に抑えることができる。しかも、入賞口２５側に向かおうとする遊技球自体も抑えられるため、阻止位置に変位する開閉部材５０に遊技球が衝突しにくくなり、開閉部材５０を保護する効果も高まる。
【００７１】
また、本構成では、後壁部３２よりも前側に、誘導位置にあるときの誘導板４２の左右方向両端部にそれぞれ対向するように前後方向に延びる一対のガイド面がそれぞれ形成されてなる一対の誘導板ガイド１３１，１３２が設けられている。このような誘導板ガイド１３１，１３２が設けられていれば、誘導板４２の変位の際に誘導板４２が適正な姿勢に保たれつつ円滑に変位し易くなり、誘導位置でも誘導板４２が適正な保持姿勢で維持され易くなる。従って、誘導板４２の保持姿勢がばらついたり不安定な姿勢になったりすることが抑制され、遊技球をより安定的に誘導しやすくなる。
【００７２】
また、本構成では、後壁部３２よりも前側の位置に、前壁部３１又は後壁部３２の少なくともいずれかに連結された構成で、誘導板４２の左右方向両側の各下面部を支持する誘導板支持部１４１，１４２が設けられている。そして、球誘導体４０がスライドする際に、誘導板４２が誘導板支持部１４１，１４２に支持されつつ滑動する構成となっている。この構成によれば、後壁部３２よりも前側に突出して誘導位置になった球誘導体４０を、完全な片持ち状とすることなく安定的に支持することができる。このため、誘導位置において球誘導体４０が適正な姿勢に保たれ易くなり、且つ入球開口２２に入り込んだ遊技球の衝撃に耐えやすい構造となる。しかも、球誘導体４０がスライドする際には、誘導板４２が誘導板支持部１４１，１４２に支持されつつ滑動するようになっているため、誘導板４２が適正な姿勢で安定的に移動しやすくなる。
【００７３】
また、本構成では、誘導位置のときの球誘導体４０に隣接する構成で、球誘導体４９から流れる遊技球を受けて球誘導体４０とは反対の下流側に導く底部１２０が形成されている。この構成では、誘導位置にある球誘導体４０と、その下流側の流路との間に大きな隙間が生じないため、球誘導体４０で導かれた遊技球の挙動が大きな隙間によって不安定になるようなことが抑えられ、球誘導体４０で導かれた遊技球がより円滑に下流側に流れるようになる。
【００７４】
更に、開閉部材５０は、阻止位置において底部１２０に臨むように当該底部１２０の上位置で進退する構成となっている。このように阻止位置にあるときの開閉部材５０の下側に及ぶように底部１２０を配置すれば、開閉部材５０の移動スペースのために流路底部に隙間を生じさせてしまうようなことがなく、球誘導体４０で導かれた遊技球がより一層円滑に下流側に流れるようになる。
【００７５】
また、本構成では、球誘導体４０は、少なくとも通過位置のときに、伝達部材６０の少なくとも一部と上下に重なり、且つ連動部材７０及びソレノイド９０（駆動源）のそれぞれの少なくとも一部と上下に重なる積層構造となっている。このように、球誘導体４０の上下に伝達部材６０、連動部材７０、ソレノイド９０（駆動源）が重なる積層構造とすることで、これらの部材を効率的に上下に纏めることができ、前後方向（奥行き方向）や左右方向の嵩張りをより一層低減することができる。
【符号の説明】
【００７６】
１…遊技機
２…遊技盤
２ａ…盤面
１０…遊技機用可変入賞装置
２０…枠体
２２…入球開口
２４…通路部
２５…入賞口
３０…内壁部
３１…前壁部
３２…後壁部
３６…ガイド部
４０…球誘導体
４２…誘導板
４２ａ…誘導面
５０…開閉部材
５２…板状部
５２ａ…一方の板面
５２ｂ…他方の板面
６０…伝達部材
６１…第一作用部
６２…第二作用部
９０…ソレノイド（駆動源）
９２…コイル部
９４…プランジャ（駆動部材）
９８…検知スイッチ（検知手段）
１２０…底部
１３１，１３２…誘導板ガイド
１４１，１４２…誘導板支持部
Ｌ１…前後方向中心位置
【図１】
2015213589.tif 000003
【図２】
2015213589.tif 000004
【図３】
2015213589.tif 000005
【図４】
2015213589.tif 000006
【図５】
2015213589.tif 000007
【図６】
2015213589.tif 000008
【図７】
2015213589.tif 000009
【図８】
2015213589.tif 000010
【図９】
2015213589.tif 000011
【図１０】
2015213589.tif 000012
【図１１】
2015213589.tif 000013